(57)【要約】【課題】  多段の傾斜棚板を備えたラックを折り畳み可能な構造とする。【解決手段】複数段の傾斜棚板１ａ，１ｂの各両側の前後中間で交差させ、前記交差位置で棚板１ａ，１ｂに枢結した連結杆２ａ，２ｂの上下端を、各々上下棚板１ａ，１ｂの側面の前後端位置で枢結して、棚板と連結杆を伸縮リンク構造に形成すると共に、最下段の棚板１ａの中間部と連結した最下連結杆２ａの下端に、前縁部分に最下棚板の前縁部１１を係止する係止部３１を設けた足板３を側面後端位置で枢結し、傾斜棚板１ａ，１ｂの前縁を適宜後退させ、後退位置上方へ棚板載置物の受支持部１２を突設してなる。【選択図】図４
2020005777.tif 000002
【特許請求の範囲】
【請求項１】
複数段の傾斜棚板の各両側の前後中間で交差させ、前記交差位置で棚板に枢結した連結杆の上下端を、各々上下棚板の側面の前後端位置で枢結して、棚板と連結杆を伸縮リンク構造に形成すると共に、最下段の棚板の中間部と連結した最下連結杆の下端に、前縁部分に最下棚板の前縁を係止する係止部を設けた足板を側面後端位置で枢結し、前記傾斜棚板の前縁を適宜後退させ、後退位置上方へ棚板載置物の受支持部を突設してなることを特徴とする折り畳みラック。
【請求項２】
最上段の棚板の中間の交差位置で連結した最上連結杆が、交差枢結部分上方を切除してなる請求項１記載の折り畳みラック。
【請求項３】
最上連結杆の頂部に、対向連結杆方向へ突出した載置受部を設けると共に、前縁に載置受部上に載置して係止される載置部を備え、後縁部分を最上段の棚板後縁位置に枢結した天板を設けてなる請求項１記載の折り畳みラック。
【発明の詳細な説明】
【技術分野】
【０００１】
本発明は、主として靴置台のような傾斜載置面を備えた折り畳みラックに関するものである。
【背景技術】
【０００２】
靴置台（シューズラック）のような傾斜載置面を備えた家具は、特許文献１に開示されているように靴載せ板を上下に連結杆を以て連結するに際して、連結杆を前後交互に組み込むことでジグザグ形状の多段傾斜載置板を備える構造としている。しかし一旦組み立てると、分解収納が煩瑣である。
【０００３】
また特許文献２に開示されているように折り畳み可能とした靴置台が知られている。この靴置台は、多段構成の棚板の両側端面で前後の支柱部材と枢結し、前後支柱部材の逆方向移動で棚板が起立状態となり前後支柱部材が前後に近接し、靴置台全体が前後方向で扁平に折り畳まれ、逆に前後支柱の上下動操作で棚板を起立状態から物品載置可能状態に移行させ、所定位置で前後支柱を固定部材で連結固定し、靴置台全体を使用可能状態とするものである。
【先行技術文献】
【特許文献】
【０００４】
【特許文献１】実開平９−２９８号公報。
【特許文献２】実開平５−５１１２８号公報。
【発明の概要】
【発明が解決しようとする課題】
【０００５】
棚板の多段構成を採用した靴置台の折り畳み構造として、前記特許文献２に開示されているような前後支柱への棚板枢結構造では、折り畳み方向が前後方向に限定され、使用時の状態から棚板の奥行長さ分高く折り畳まれることになり、折り畳み構造採用の目的である収納運搬性の向上にあまり貢献するものではない。
【０００６】
そこで本発明は、よりコンパクトに折り畳みを可能とする構造として、収納性運搬性を高めた新規な折り畳みラックを提案したものである。
【課題を解決するための手段】
【０００７】
本発明の請求項１記載に係る折り畳みラックは、複数段の傾斜棚板の各両側の前後中間で交差させ、前記交差位置で棚板に枢結した連結杆の上下端を、各々上下棚板の側面の前後端位置で枢結して、棚板と連結杆を伸縮リンク構造に形成すると共に、最下段の棚板の中間部と連結した最下連結杆の下端に、前縁部分に最下棚板の前縁を係止する係止部を設けた足板を側面後端位置で枢結し、前記傾斜棚板の前縁を適宜後退させ、後退位置上方へ棚板載置物の受支持部を突設してなることを特徴とするものである。
【０００８】
而して最下段棚板の前縁部分を足板の係止部に係止すると、棚板と連結杆が伸縮リンク構造に形成されているので、当該伸縮リンクが固定状態となり、多段構成の傾斜棚板を備えるラックが構成され、棚板上に所望の載置物を載置収納することが可能となる。また前記の最下棚板と足板との係止を解除し、伸縮リンク構造が自由に動作できる状態になると、前後の枢結箇所の近接操作で前後偏平になり、上下枢結箇所の近接操作で上下偏平になり、特に棚板が積層状態となって折り畳まれる。
【０００９】
また本発明の請求項２記載に係る折り畳みラックは、特に最上段の棚板の中間の交差位置で連結した最上連結杆が、交差枢結部分上方を切除してなるもので、最上段の傾斜棚板がオープンな状態となって使用することができる。
【００１０】
また本発明の請求項３記載に係る折り畳みラックは、特に最上連結杆の頂部に対向連結杆方向へ突出した載置受部を設けると共に、前縁に載置受部上に載置して係止される載置部を備え、後縁部分を最上段の棚板後縁位置に枢結した天板を設けてなるもので、最下棚板の前縁を足板の係止部に係止すると共に、最上連結杆の載置受部に天板の前縁（載置部）を載置すると、水平状態の天板を備えることになる。
【発明の効果】
【００１１】
本発明の構成は上記のとおり、簡単な構造で棚板を積層状態にコンパクトに折り畳むことができ、収納性及び運搬性に優れた折り畳みラックを提供できたものである。
【図面の簡単な説明】
【００１２】
【図１】本発明の第一実施形態の全体斜視図。
【図２】同側面図。
【図３】同分解斜視図。
【図４】同折り畳み操作の説明図。
【図５】同折り畳み状態の斜視図。
【図６】同使用状態の説明図。
【図７】同第二実施形態の説明図で（イ）は全体斜視図（ロ）使用状態を示す。
【図８】同説明図（折り畳み・組立操作）。
【図９】同折り畳み状態の斜視図。
【図１０】同第三実施形態の全体斜視図。
【発明を実施するための形態】
【００１３】
次に本発明の実施形態について説明する。図１乃至７は第一実施形態を示したもので。この第一実施形態は、２段の棚板（最下段棚板１ａ、最上段棚板１ｂ）を備えたラックの例を示した。
【００１４】
折り畳みラックは、棚板１ａ，１ｂと，連結杆（最下連結杆２ａ，最上連結杆２ｂ）と足板３で構成される。
【００１５】
棚板１ａ，１ｂ及び足板３は各側面で枢結した連結杆２ａ，２ｂで上下連結されるもので、最下連結杆２ａは、最下段棚板１ａの側面の前後中間で交差させて当該交差部分を軸体４で枢結し（以下軸体４は省略する）、上端部分を最上段棚板１ｂの側面前端位置で枢結し、下端部分を足板３の側面後端位置で枢結してなる。
【００１６】
最上連結杆２ｂは、先端部分を最上段棚板１ｂの側面の前後中間を軸体４で枢結し、下端部分を最下段棚板１ａの側面後端位置で枢結してなる。
【００１７】
従って棚板１ａ，１ｂ及び連結杆２ａ，２ｂは、伸縮リンク構造に形成され、各棚板１ａ，１ｂと連結杆２ａ，２ｂのなす角度によって棚板１ａ，１ｂの起立倒伏の角度が定まる。
【００１８】
そこで棚板１ａ，１ｂが所望の角度で傾斜して多段配置するために、所定前後幅（棚板１ａ，１ｂの傾斜角度を定める）の足板３の先端縁を起立状態に突出させた係止部３１を設け、最下段棚板１ａの前縁部１１を係止可能としたものである。
【００１９】
更に各棚板１ａ，１ｂの前縁部分には、傾斜した棚板１ａ，１ｂに載置した物品Ａが落下しないように上方へ突出させた受支持部１２を設けるものであるが、特に最下段棚板１ａ以外（最上段棚板１ｂ）の棚板においては、前縁部分を側面前端位置（枢結位置）より後方に適宜後退させ、当該後退位置に受支持部１２を突設してなる。この適宜後退させる範囲は、後述する棚板１ａ，１ｂの折り畳みにおいて、棚板１ａ，１ｂの積層状態で前記受支持部１２が邪魔にならない位置まで後退させるものである（図５参照）。
【００２０】
而して最下段棚板の前縁部１１を足板３の係止部３１に係止すると、棚板１ａ，１ｂと連結杆２ａ，２ｂが伸縮リンク構造に形成されているので、前記の係止によって当該伸縮リンクが固定状態となり、多段構成の傾斜棚板１ａ，１ｂを備えるラックが構成され、所望の載置物（棚板載置物Ａ）を載置収納することが可能となる（図６）。
【００２１】
また最下棚板１ａの前縁部１１と足板３との係止部３１との係止を解除すると、伸縮リンク構造が自由に動作できる状態になるので、そのまま棚板１ａ，１ｂを水平状態に移行させると、棚板１ａ，１ｂが積層状態となって折畳まれる（図５）。
【００２２】
また図７、８は本発明の第二実施形態で、天板５を備える折り畳みラックを示した。この折り畳みラックは、最上連結杆２ｂが、最下連結杆２ａと同様な長さとし、頂部に対向連結杆方向へ突出した載置受部２１を設けてなる。前記載置受部２１の突出長は、棚板の受支持部１２の両側外に位置する長さとする。
【００２３】
天板５は、足板３と同様な前後幅を備え、後縁部分を最上段棚板１ｂの後縁位置で枢結したもので、枢結に際しては、枢結軸に対して噛み合うように組み込んで行うもので、前縁には、前記載置受部２１上に載置して係止される「状の載置部５１を備えてなる。
【００２４】
而して前記第二実施形態においては、第一実施形態と同様に最下段棚板１ａの前縁部１１を足板３の係止部３１に係止すると共に、最上連結杆２ｂの載置受部２１に天板５の前縁の載置部５１を載置すると、水平状態の天板を備えるラックが形成される（図７イ）。
【００２５】
そこで上下段棚板１ａ，１ｂ上への物品Ａの載置と共に、天板５上にも棚板１ａ，１ｂに載置できない物品Ｂを載置することができる。
【００２６】
勿論第二実施形態においても、最下段棚板１ａの前縁部１１と足板３の係止部３１との係止、並びに最上連結杆２ｂの載置受部２１と天板５の載置部５１の載置状態（係止状態）を解消すると、伸縮リンク構造が自由に動作できる状態になり、そのまま棚板１ａ，１ｂを水平状態に移行させると、足板３、棚板１ａ，１ｂ、天板５が積層状態となって折り畳まれることになる。特に前記の折り畳みに際して載置受部２１が受支持部１２の両側外方に位置することになり、積層時の全高を小さくすることができる（図９）。
【００２７】
また本発明は、前記した実施形態のように２段収納以外にも任意の多段構成とすることができるもので、図１０に示す第三実施形態のように、前記第一、二実施形態で示した最上下段棚板１ａ，１ｂ及び最上下連結杆２ａ，２ｂと、足板３及び天板５との係止構造をそのまま採用して、最上下段棚板１ａ，１ｂの間に中間段棚板１ｃを配し、中間段棚板１ｃを中間連結杆２ｃで連結して伸縮クランク構造を延長することで、多数段の折り畳みラックとすることができる。
【符号の説明】
【００２８】
１ａ    最下段棚板
１ｂ    最上段棚板
１ｃ    中間段棚板
１１    前縁部
１２    受支持部
２ａ    最下連結杆
２ｂ    最上連結杆
２ｃ    中間連結杆
２１    載置受部
３      足板
３１    係止部
４      軸体
５      天板
５１    載置部
【図１】
2020005777.tif 000003
【図２】
2020005777.tif 000004
【図３】
2020005777.tif 000005
【図４】
2020005777.tif 000006
【図５】
2020005777.tif 000007
【図６】
2020005777.tif 000008
【図７】
2020005777.tif 000009
【図８】
2020005777.tif 000010
【図９】
2020005777.tif 000011
【図１０】
2020005777.tif 000012